(57)【要約】      （修正有）【課題】  携帯情報端末等を利用し、高齢化社会に対応して、高齢者中心の最適なライフアメニテイ情報の提供を行う。【解決手段】  プロモ−タ−と、デ−タベ−スと、相談対応機関と、教室と、通信教育と、会員と、金融機関とで構成され、デ−タベ−スにはデ−タ入出力装置が併設され、プロモ−タ−と会員との間では、パソコン、家庭用ゲ−ム機、携帯情報端末等を利用し、システムの運用を図り、会員にはＩＣチップが組み込まれた会員カ−ドが交付され、電話回線、またはインタ−ネットに接続する回線・無線通信を利用してデ−タ通信を行う場合の信号変換装置であるモデムを介して、インタ−ネットに接続したデ−タベ−スを連動させ、地方自治体や相談対応機関など指定の連絡先までの連絡を自動化し、かつ、デ−タベ−スの補正を行うことを特徴とした携帯情報端末等を利用したライフアメニテイ情報サ−ビスシステムである。【選択図】    図１
2005044344.tif 000002
【特許請求の範囲】
【請求項１】
プロモ−タ−１と、プロモ−タ−１が所有または関与するライフアメニティ情報のデ−タベ−スと２、プロモ−タ−１が経営または契約する相談対応機関３と、プロモ−タ−１が経営または契約する健康セミナ−・介護セミナ−・資金運用セミナ−・イベントなどを開催する教室９と、スキル・キャリア・ライセンスなどの経験・資格などを獲得支援する通信教育１０と、プロモ−タ−１と契約する地方自治体４・年金受給世帯５・ミドル世帯６などの会員１７と、プロモ−タ−１と契約する金融機関８などで構成され、プロモ−タ−１と契約する地方自治体４・年金受給世帯５・ミドル世帯６等の会員１７との間では、プロモ−タ−１側のパソコン１３および電話７と、モデム１１等を介してインタ−ネット１２に接続したパソコン１４および家庭用ゲ−ム機１５、もしくは電話回線１６に接続した携帯情報端末１８等を利用し、デ−タベ−ス２、３３には、デ−タ入出力装置２６が併設され、システムの運用を図ることを特徴とする携帯情報端末等を利用したライフアメニティ情報サ−ビスシステム。
【請求項２】
携帯情報端末等を利用したライフアメニティ情報サ−ビスシステムの運用において、会員は地方自治体４、２８、年金受給世帯５、２９、ミドル世帯６、３０を中心として構成され、会費の支払いに伴い、プロモ−タ−１、１９と契約する地方自治体４、２８、年金受給世帯５、２９、ミドル世帯６、３０などの会員１７、２７は、会員が保有するインタ−ネット１２に接続したパソコン１４、３１および家庭用ゲ−ム機１５、３２もしくは電話回線１６に接続した携帯情報端末１８、２０等を利用し、会員に必要な情報を定期的・不定期的に供給し、プロモ−タ−１が所有または関与するライフアメニティ情報のデ−タベ−ス２を自由に利用でき、プロモ−タ−１が経営又は契約する相談対応機関３を活用でき、プロモ−タ−１が経営または契約する健康セミナ−・介護セミナ−・資金運用セミナ−・イベントなどを開催する教室９に参加でき、スキル・キャリア・ライセンスなどの経験・資格などを獲得支援するための通信教育１０を利用できるものであって、利用料の支払いは会員の銀行口座２４を介してプロモ−タ−の銀行口座２５に振り込まれることになっていることを特徴とする携帯情報端末等を利用したライフアメニティ情報サ−ビスシステム。
【請求項３】
ライフアメニティ情報サ−ビスシステムにおけるデ−タ入出力は、併設されているデ−タ入出力装置２６により行い、デ−タは、会員１７、２７に役立つ投薬歴、体調、食生活などのデ−タを基本的に入力し、デ−タ入出力装置２６により新規デ−タの入力やデ−タの更新が定期的に行われ、デ−タベ−ス２、３３のコンテンツは、会員カ−ド３４として表わされ、会員カ−ド３４にはＩＣチップ３５が組み込まれ、デ−タベ−ス２、３３のコンテンツは、簡単に出力されるようになっており、小規模な地方自治体などには第１機械検索部３６、第２機械検索部３７が設けられている会員カ−ド３４が用いられるようになっている携帯情報端末等を利用したライフアメニティ情報サ−ビスシステム。
【発明の詳細な説明】
【技術分野】
【０００１】  本発明は、モデム等を介してインタ−ネットに接続したパソコン及び家庭用ゲ−ム機、もしくは携帯情報端末等を利用し、高齢化社会に対応して高齢者中心のライフアメニティ情報の提供ばかりか、ボランティア、教育、キャリアなどへの連関を進め、ひいては地方自治体の福祉行政の活発化と財政の健全化を図り、高齢者の孤独感の解消ばかりか、快適な高齢化社会を招来させることを課題としたものである。
【背景技術】
【０００２】  従来からモデム等を介してインタ−ネットに接続したパソコン及び家庭用ゲ−ム機、もしくは携帯情報端末等を利用する情報サ−ビスは、携帯情報端末等のすさまじい普及と共に、携帯情報端末等の機能そのものが、携帯電話ひとつとっても、単なる通話のための電話から、カメラを搭載した機種の登場など、さまざまな進化を遂げており、その進歩は止まるところは知らず、さらに、機能に加えてアプリケ−ションも多数にわたり提供されている。【０００３】  その機能及び使用方法は携帯電話会社により少々異なるが、メ−ルを筆頭に静止・動画像・ナビゲ−ション・高速パケットデ−タ通信などがあり、アプリケ−ションとしはゲ−ムなどのアプリケ−ションをダウンロ−ドして遊べるＪａｖａ（登録商標）などがみられる。【０００４】  しかし、数多く登場しているアプリケ−ションとしては、ゲ−ムのダウンロ−ドが分かりやすい例とされ、携帯電話がゲ−ムとしても多くの人に活用されているのも事実として知られているが、小規模の地方自治体などでは有効で経済的な活用は困難であった。
【発明の開示】
【発明が解決しようとする課題】
【０００５】  本発明が提案するモデム等を介してインタ−ネットに接続したパソコン及び家庭用ゲ−ム機、もしくは携帯情報端末等を利用したライフアメニティ情報サ−ビスシステムは、高齢化社会に対応し、高齢者・ミドルを中心にした生活を快適にするためのライフアメニティ情報を介して、高齢者・ミドルの生活環境を向上させ、高齢者・ミドルの生きがいを供与し、ひいては地方自治体の活動の指針が確保できるばかりか、福祉行政の活発化と財政の健全化を図るものである。
【課題を解決するための手段】
【０００６】  本発明は、上記の目的を解決するために提案したもので、図１、図２に従って、詳細に説明すると、プロモ−タ−１、１９と、プロモ−タ−１、１９が所有または関与するライフアメニティ情報のデ−タベ−ス２と、プロモ−タ−１、１９が経営または契約する相談対応機関３と、プロモ−タ−１、１９が経営または契約する健康セミナ−・介護セミナ−・資金運用セミナ−・イベントなどを開催する教室９と、スキル・キャリア・ライセンスなどの経験・資格などを獲得支援する通信教育１０と、プロモ−タ−１、１９と契約する地方自治体４、２８・年金受給世帯５、２９・ミドル世帯６、３０などの会員１７、３０と、プロモ−タ−１、１９と契約する金融機関８などで構成され、プロモ−タ−１、１９と契約する地方自治体４、２８・年金受給世帯５、２９・ミドル世帯６、３０などの会員１７との間では、プロモ−タ−１、１９側のパソコン１３および電話７と、モデム１１等を介してインタ−ネット１２に接続したパソコン１４および家庭用ゲ−ム機１５、もしくは電話回線１６に接続した携帯情報端末１８等を利用し、システムの運用を図っている。【０００７】  一方、本発明の携帯情報端末等を利用したライフアメニティ情報サ−ビスシステムの運用について、図１、図２に従って、一例を具体的に説明すると、会員１７、２７、地方自治体４、２８、年金受給世帯５、２９、ミドル世帯６、３０を中心として構成され、会費の支払いにより会員と認められ、プロモ−タ−１、１９と契約する地方自治体４、２８、年金受給世帯５、２９、ミドル世帯６、３０などの会員１７、２７は、会員１７、２７が保有するインタ−ネット１２に接続したパソコン１４、３１および家庭用ゲ−ム機１５、３２もしくは電話回線１６に接続した携帯情報端末１８、２０等を利用し、会員に必要な情報を定期的・不定期的に供給されるばかりか、プロモ−タ−１、１９が所有または関与するライフアメニティ情報のデ−タベ−ス２、３３を自由に利用でき、プロモ−タ−１、１９が経営または契約する相談対応機関３を活用でき、プロモ−タ−１、１９が経営または契約する健康セミナ−・介護セミナ−、資金運用セミナ−・イベントなどを開催する教室９に参加でき、スキル・キャリア・ライセンスなどの経験・資格などを獲得支援するための通信教育１０を利用できるものであって、利用料の支払いは会員の銀行口座２４を介してプロモ−タ−の銀行口座２５に振り込まれることになっている。【０００８】  本発明において会員１７，２７となる地方自治体４、２８は、高齢化社会に対応して福祉、医療、介護等に多額の財政を投じており、政策課題も「福祉・医療サ−ビスの推進」と「地域医療体制の確保」があげられ、その中身も「福祉・医療サ−ビスの推進」では、福祉サ−ビスの支援と質の向上、高齢者が安心して暮らせる仕組み、保健・医療・人材の養成・確保、身体・知的障害者の地域生活での支援、精神障害者の自立した生活・就労支援、福祉の町づくりの推進などについてプロジェクトが作られ、「地域医療体制の確保」では、がん対策の総合的な推進、総合的な救急医療体制の充実などのプロジェクトが作られており、具体的には、基本健康診査・がん検診・結核・成人歯科健康診査などが進められ、今後も「福祉・医療サ−ビスの推進」と「地域医療体制の確保」などの充実は必至となってくるが、高齢化、少子化を背景として、すでに地方自治体４、２８の財政負担は厳しくなってきている。【０００９】  こうした地方自治体４、２８の財政負担の厳しさを解消するために、本発明のライフアメニティ情報サ−ビスシステムによって、住民に対するライフアメニティ情報の提供による行政への期待に応え、行政負担の軽減にも寄与するもので、高齢者や身体・知的障害者の健康回復や健全化にも役に立つようになってきている。【００１０】  本発明の会員１７，２７となる年金受給世帯５、２９には、高齢化社会に対応して健康で長生き、ボケず寝たきりにならずというライフアメニティ情報（介護機器、医薬品、サプリメント、クアハウス・温泉、健康（特定保健用）食品、ボランティア、観光旅行、年金運用、金融商品など）のサ−ビスを提供するもので、かつ、会員１７，２７となる年金受給世帯５、２９に適した情報や商品・サ−ビスの紹介なども行われ、情報のフィ−ドバックにより、効率的で安心できる快適な生活ができるようになっている。【００１１】  本発明の会員１７，２７となるミドル世帯６、３０には、定年後の高齢化社会に対応して健康で長生きのためのライフアメニティ情報（医薬品、サプリメント、クアハウス・温泉、健康（特定保健用）食品、ボランティア、観光旅行、年金運用、金融商品など）のデ−タベ−ス２、３３を利用してライフアメニティ情報サ−ビスを提供するもので、かつ、プロモ−タ−１、１９が経営または契約するパソコンセミナ−・健康セミナ−・介護セミナ−・資金運用セミナ−・イベントなどを開催する教室９に参加でき、スキル・キャリアばかりか、税理士・行政書士・不動産鑑定士・健康アドバイザ−などのライセンスの経験・資格などを獲得支援するための通信教育１０を利用できるようになっており、効率的で安心できる快適な生活ができるようになっている。【００１２】  プロモ−タ−１、１９が経営または契約する相談対応機関３としては、損害保険企業、生命保険企業、健康増進企業、スポ−ツクラブ、老人・障害者養護施設、介護施設、介護機器企業、生活補助企業、医療機関、薬局、ボランティアなどがあげられ、会員の相談に適切に対応できるようになっており、会員１７，２７のミドル世帯６、３０に提供されるライフアメニティ情報の中で、ボランティア情報を指定すると、地域に貢献するボランティア作業がデ−タベ−ス化されており、老人・障害者養護施設での文化教室（書道、カラオケ、園芸、ダンスなど）への参加が自由にできるようになっており、定年後の高齢化社会に対応して健康で長生きのための効率的で安心できる快適な生活ができるようになっている。【００１３】  本発明のライフアメニティ情報サ−ビスシステムにおけるデ−タベ−ス２、３３の内容について、具体的に説明すると、健康・介護・医療などに関しては「健康機器」、「健康（特定保健用）食品」、「介護機器」、「介護施設」、「老人・障害者養護施設」、「医療・施療機関」、「調剤薬局」、「医薬品」、「クアハウス・温泉」などがあり、冠婚葬祭・寺院などに関しては「冠婚葬祭」、「宗教」、「献体」、「寺院」、「墓地」な��があり、老後生活に関しては「年金運用」、「金融商品」などのキ−ワ−ドによって簡単に呼び出しができるようになっている。【００１４】  デ−タベ−ス２、３３のなかの健康・介護・医療などのうち、「健康（特定保健用）食品」を例にみると、生体調節機能別に「肥満予防」、「疲労回復」、「整腸」、「高血圧予防」、「低う蝕」、「血行促進」、「糖尿病予防」、「抗腫瘍」、「老化予防」、「抗コレステロ−ル」、「アレルギ−予防」などがあり、有効成分をみると、「肥満予防」ではオリゴ糖、アスパルテ−ム、サポニン、ステビア、食物繊維等があり、「疲労回復」ではＥＰＡ、オクタコサノ−ル、天然アミノ酸エキス、オルニチンなどがあり、「整腸」ではフラクトオリゴ糖、Ｎ−アシルラクタムなどがあり、「高血圧予防」ではガンマリノレン酸などがあり、「低う蝕」ではキチン、分岐オリゴ糖、セント−ス、トレハロ−ス、アスパルテ−ム等があり、「血行促進」ではＥＰＡ、サポニンなどがあり、「糖尿病予防」ではオリゴ糖、フラクト−ス、パラチノ−ス、アロエエキスなどがあり、「抗腫瘍」では担子菌の抽出エキス等があり、「抗コレステロ−ル」ではスクロ−スポリエステル、セルロ−ス、オクタコサノ−ル、海産クロレラなどがあり、「老化予防」ではホスファチジルコリン、大豆サポニン、ハトムギエキスなどがあり、「アレルギ−予防」ではクマリン酸などがみられる。【００１５】  ライフアメニティ情報サ−ビスシステムにおけるデ−タベ−ス２、３３には、デ−タ入出力装置２６が併設されており、デ−タ入出力装置２６により会員１７、２７に役立つデ−タを基本的に入力されたデ−タベ−ス２、３３が用意され、とくにデ−タベ−ス内の会員デ−タについては、投薬歴、体調、食生活なども入力されており、デ−タ入出力装置２６により新規デ−タの入力やデ−タの更新が定期的に行われている。【００１６】  本発明のライフアメニティ情報サ−ビスシステムにおけるデ−タベ−ス２、３３のコンテンツは、１例として図３に示すように会員カ−ド３４として表わされ、会員カ−ド３４にはＩＣチップ３５が組み込まれ、デ−タベ−ス２、３３のコンテンツは、簡単に出力されるようになっており、小規模な地方自治体などには第１機械検索部３６、第２機械検索部３７が設けられている会員カ−ド３４が用いられるようになっている。
【発明の効果】
【００１７】  本発明のライフアメニティ情報サ−ビスシステムは、高齢化社会に対応し、高齢者・ミドルを中心にしたライフアメニティ情報をデ−タベ−スとしているため、高齢者・ミドルに対してきめ細かな情報提供サ−ビスができ、高齢者・ミドルの生活環境を向上させ、高齢者・ミドルの生きがいを授与するようになった。【００１８】  また、高齢者や障害者の増加に伴い、地方自治体４、２８の福祉に関する行政サ−ビスと高齢者や身体・知的障害者に対する財政負担の厳しさと重圧はいやがうえにも大きくなってきているだけに、本発明のライフアメニティ情報サ−ビスシステムの提供と活用によって、高齢者や身体・知的障害者の健康回復や健全化にも役に立つようになってきているばかりか、地方自治体の行政への期待に応え、活動の指針を確保できるばかりか、地方自治体の福祉に関する行政が活発化し、住民の信頼性も高まり、補助金の利用も有効に使われるようになり、地方自治体の行政負担の軽減にも寄与でき、財政も健全化することになった。【００１９】  本発明の会員１７，２７となる年金受給世帯５、２９には、高齢化社会に対応して健康で長生き、ボケず寝たきりにならずというライフアメニティ情報（介護機器、医薬品、サプリメント、クアハウス・温泉、健康（特定保健用）食品、ボランティア、観光旅行、年金運用、金融商品など）のサ−ビスを提供するもので、かつ、会員１７，２７となる年金受給世帯５、２９に適した情報や商品・サ−ビスの紹介なども行われ、情報のフィ−ドバックにより、効率的で安心できる快適な生活ができるようになり、また、会員１７，２７となるミドル世帯６、３０には、定年後の高齢化社会に対応して健康で長生きのためのライフアメニティ情報（医薬品、サプリメント、クアハウス・温泉、健康（特定保健用）食品、ボランティア、観光旅行、年金運用、金融商品など）のデ−タベ−ス２、３３を利用してライフアメニティ情報サ−ビスを提供するもので、かつ、プロモ−タ−１、１９が経営または契約するパソコンセミナ−・健康セミナ−・介護セミナ−・資金運用セミナ−・イベントなどを開催する教室９に参加でき、スキル・キャリアばかりか、税理士・行政書士・不動産鑑定士・健康アドバイザ−などのライセンスの経験・資格などを獲得支援するための通信教育１０を利用できるようになっており、効率的で安心できる快適な生活ができるようになった。
【発明を実施するための最良の形態】
【００２０】  本発明のライフアメニティ情報サ−ビスシステムは、高齢者・ミドルを中心にしたライフアメニティ情報をデ−タベ−スとし、会員のニ−ズに対応して会員が保有するインタ−ネット１２に接続したパソコン１４、３１および家庭用ゲ−ム機１５、３２もしくは電話回線１６に接続した携帯情報端末１８、２０等を利用し、ライフアメニティ情報をタイムリ−に会員に供給し、会員の健康に関連した会員デ−タについては、投薬歴、体調、食生活などを継続してデ−タベ−ス化し、会員の利用については会員の銀行口座から会費と利用料をプロモ−タ−の銀行口座に自動振り込まれることを特徴とし、総体的に会員の経済的メリットに寄与するようにしている。
【実施例１】
【００２１】  本発明におけるライフアメニティ情報サ−ビスシステムの１実施例をあげると、会員１７、２７が携帯情報端末１８，２０等を利用して「医薬品」にアクセスすると、生体調節機能別に「肥満予防」、「疲労回復」、「整腸」、「高血圧予防」、「低う蝕」、「血行促進」、「糖尿病予防」、「抗腫瘍」、「抗コレステロ−ル」、「老化予防」、「アレルギ−予防」などがピックアップされ、「高血圧予防」にアクセスすると、ガンマリノレン酸のほか、Ｋイオン強化、海産クロレラなどが挙出され、メ−カ−、商品名、価額などがリストアップされるようになっている。【００２２】  また、高血圧に関心の有る会員に対するライフアメニティ情報サ−ビスとしては、血圧と脈搏の数値の記録が会員デ−タとしてデ−タベ−ス２，３３に蓄積され、数値の変化に対応して関連情報としての食材情報などが送られることになる。
【実施例２】
【００２３】  健康・介護・医療などのうち、「クアハウス・温泉」を例にみると、体の調子を整えたり、病気を治すためにクアハウス・温泉などの利用がなされているが、温泉法によると、地中から湧出する温水、鉱水および水蒸気その他のガス（炭化水素を主成分とする天然ガスを除く）で、温泉から採取されるときの温度として２５度以上となっているが、ガス性以外の溶存物質が泉水１ｋｇ中１ｇ以上を含んでいることが要求されているほか、二酸化炭素、硫黄成分、ラドン、水素炭酸塩、鉄、水素イオンなどの化学成分につき各々その何ｍｇ以上が含まれていなければならないかが決められている。【００２４】  温泉の成分別にみると「食塩泉」、「重曹泉」、「硫黄泉」、「鉄泉」、「炭酸泉」、「硫酸塩泉」、「放射能泉」、「酸性泉」、「単純温泉」などがあり、薬理作用別にみると、「食塩泉」では、皮膚についた食塩粒により汗の蒸発を防ぎ、保温効果が良いため、慢性関節障害、リウマチなどに利用され、飲むと胃液の分泌や胃腸の運動が盛んで、慢性の胃腸障害に効果があるとされている。「重曹泉」では、皮膚の脂肪や分泌物を乳化して洗い流すため皮膚をなめらかにし、飲むと胃酸を中和し、胆汁分泌を促すので欧州では肝臓の湯と言われている。「硫黄泉」では、硫化水素ガスにより毛細血管が拡張されて血圧が下がり、皮膚を柔らかくするので、皮膚そうよう症、角化症、湿疹などの慢性皮膚病などに効果があるとされている。「鉄泉」では、飲むと鉄欠乏性貧血に効果的で、入浴すると冷え性やリウマチ性疾患などに良いとされている。「炭酸泉」では、毛細血管や細小動脈を拡張するため血圧を下げるとされている。「硫酸塩泉」では、高血圧症、動脈硬化、脳卒中、慢性関節リウマチに良いとされている。「放射能泉」では、ラドンとトリウム系のトロンがあり、神経痛、リウマチに良いとされている。「酸性泉」では、遊離鉱酸を含む温泉で、抗菌力があり、水虫、トリコモナス腟炎、疥癬なとに有効とされている。「単純温泉」では、中風、神経痛によく、飲むと利尿作用があり、尿路疾患や糖尿病などに良いとされている。【００２５】  また、高血圧に関心の有る会員に対するライフアメニティ情報サ−ビスとしては、薬理作用の面から毛細血管や細小動脈を拡張するため血圧を下げるとされている「炭酸泉」の白骨温泉（長野県）、硫酸イオンが主成分の「硫酸塩泉」の土湯温泉（福島県）等があげられ、会員デ−タとしてデ−タベ−ス２，３３に蓄積されることになる。
【産業上の利用可能性】
【００２６】  本発明によれば、マネジメントスキル、ヒュ−マンスキル、テクニカルスキルを別々にする相談対応機関３、地方自治会４、２８などの経営意識を大きく変化させることができるようになるものと思われる。
【図面の簡単な説明】
【００２７】
【図１】  本発明のライフアメニテイ情報サ−ビスシステムの概要図。
【図２】  本発明のライフアメニテイ情報サ−ビスシステムの運用図。
【図３】  本発明のライフアメニテイ情報サ−ビスシステムに用いる会員カ−ドのフォ−マット
【符号の説明】
【００２８】  １：プロモ−タ−
２：デ−タベ−ス
３：相談対応機関
４：地方自治体
５：年金受給世帯
６：ミドル世帯
７：電      話
８：金  融  機  関
９：教      室
１０：通  信  教  育
１１：モ  デ  ム
１２：インタ−ネット
１３：パ  ソ  コ  ン
１４：パ  ソ  コ  ン
１５：家庭用ゲ−ム機
１６：電  話  回  線
１７：会          員
１８：携帯情報端末
１９：プロモ−タ−
２０：携帯情報端末
２１：サ  イ  ト
２２：携帯電話会社
２３：情  報  提  供
２４：会員の銀行口座
２５：プロモ−タ−の銀行口座
２６：デ−タ入出力装置
２７：会      員
２８：地方自治体
２９：年金受給世帯
３０：ミドル世帯
３１：パ  ソ  コ  ン
３２：家庭用ゲ−ム機
３３：デ−タベ−ス
３４：会員カ−ド
３５：ＩＣチップ
３６：第１機械検索部
３７：第２機械検索部
【図１】
2005044344.tif 000003
【図２】
2005044344.tif 000004
【図３】
2005044344.tif 000005